(57)【特許請求の範囲】
【請求項１】
ケース本体と、該ケース本体に開閉自在に取着され所定個所に係止片を設けた蓋体と、ケース本体に装着された操作部材とを備えたコンパクトであって、
ケース本体には、所定の箇所に切欠部が設けられ、
切欠部には、蓋体の係止片と係合するフックと傾斜面を有する案内とを具えた係止壁面と、底面が配設され、
操作部材は、ケース本体の切欠部に摺動自在に装着される押え板と、押え板下端から連設された底板とを具え、
底板上面に、上部下面が前記案内の傾斜面に係合する可撓リングを配設したことを特徴とするコンパクトの蓋係止機構。
【請求項２】
可撓リングが、上部中央に傾斜面に係合する作動片を形成したクリップ状の可撓リングであることを特徴とする請求項１記載のコンパクトの蓋係止機構。
【発明の詳細な説明】
【０００１】
【発明の属する技術分野】
本発明は、コンパクト、とくにコンパクトの蓋係止機構に関する。
【０００２】
【従来の技術】
コンパクトの蓋係止機構として、ケース本体に形成した切欠部にフックと傾斜面とを具えた案内部を設け、前記傾斜面に沿って案内され蓋体の係止片に係合する作動片を可撓板を介して取着した押え板を具えた操作部材を、前記切欠部に装着し、ケース本体と操作部材とをばね機構を介してスムーズに前後動させるようにしたコンパクトは、本出願人の出願に係る特開平１１−９９０１５号公報に記載されているように従来より周知である。
【０００３】
【発明が解決しようとする課題】
しかしながら、上記公報記載のものをはじめ従来のコンパクトのばね機構は、押え板の下端に連設された摺動板の先端とケース本体との間に設けられているので、ケース本体にばね機構を収納するスペースを設けなければならないという問題があった。
また、ばね機構の収納、ひいては操作部材の取り付けが簡便にできないという問題もあり、コストを低廉にすることができなかった。
【０００４】
さらにまた、切欠部に対する操作部材の形状、とくにばねの形状を移動方向に力が均等にかかるよう正確に形成しなければ操作部材の操作時にガタつきが生じるという問題もあった。
【０００５】
本発明は、上記問題を解決することを課題とし、構造が簡単で、かつ簡便に取り付けることができるとともに、開蓋時の操作部材の押圧操作と復元がスムーズに行われるようにしたコンパクトの蓋係止機構を提供することを目的とする。
【０００６】
【課題を解決するための手段】
本発明は、上記の技術的課題を達成するため、コンパクトの蓋係止機構として、ケース本体と、該ケース本体に開閉自在に取着され所定個所に係止片を設けた蓋体と、ケース本体に装着された操作部材とを備えたコンパクトであって、ケース本体には、所定の箇所に切欠部が設けられ、切欠部には、蓋体の係止片と係合するフックと傾斜面を有する案内とを具えた係止壁面と、底面が配設され、操作部材は、ケース本体の切欠部に摺動自在に装着される押え板と、押え板下端から連設された底板とを具え、底板上面に、上部下面が前記案内の傾斜面に係合する可撓リングを配設したことを特徴とする構成を採用する。
【０００７】
可撓リングの具体的な実施例として、可撓リングが、上部中央に傾斜面に係合する作動片を形成したクリップ状の可撓リングであることを特徴とする構成を採用する。
【０００８】
【発明の実施の形態】
次に、本発明の実施形態について、図面を参照して説明する。
図１，２において、Ａはケース本体、Ｂは蓋体、Ｃはケース本体Ａに装着された蓋体の係止機構である。
【０００９】
ケース本体Ａは、底板１と周壁２とからなり、ケース本体Ａ内部は化粧料の収納部となっている。
周壁２には、係止機構Ｃを配設するための切欠部３が設けられており、該切欠部３に対向する反対側周壁には、蓋体Ｂの蝶番機構のための切欠部４が設けられている。
【００１０】
図２，３に示すように、切欠部３は、周壁２の切欠端面１０と係止壁面１１、底面１２とを具え、係止壁面１１には、フック１３と案内１４が突設されている。
案内１４は、下端を突出端１５ａとした傾斜面１５と該突出端１５ａから水平に延びる下面１６とを有しており、案内１４の下方には、底面１２に連続する案内孔１７が穿設されている。
前記底面１２の両側には、切欠端面１０に沿って案内溝１８が穿設されており、底面１２の外端１９は、周壁２の外周より引き込んだ位置に位置している。
【００１１】
前記切欠部３には、係止壁面１１のフック１３と案内１４とともに係止機構Ｃを構成する操作部材２０が装着されている。
操作部材２０は、図４に示すように、押え板２１と押え板２１の両側に設けた側板２２と、押え板２１の下端に連設された底板２３とを具えており、底板２３の中央上面には、作動部材２４が配設されている。
作動部材２４は、取付台２５と、該取付台２５の両側からクリップ状に延びる可撓リング２６とを具えており、可撓リング２６の中央部には、取付台２５と共働して案内１４を挟持する作動片２７が設けられている。
【００１２】
底板２３は、中央部を案内孔１７への挿入部２８として突出させ、その両側部２９の先端下面には案内溝１８に嵌挿される突起３０が設けられている。
【００１３】
操作部材２０の装着時には、底板２３が切欠部３底面１２で支持され、取付台２５と作動片２７との間で案内１４の下方部が挟持され、操作部材２０の移動に応じて、作動片２７は案内１４の傾斜面１５に沿って上昇する。
【００１４】
また、挿入部２８は、操作部材２０の押圧時には案内孔１７に挿入されるようになっており、側部２９の突起３０は、案内溝１８内で案内され、操作部材２０の後退時には突起３０によって後退位置が規制されるようになっている。
【００１５】
図１，２に示すように、蓋体Ｂは、一側に前記ケース本体Ａの軸ピンに枢支される蝶番用の取付片３１が設けられており、反対側には、係止片３２が垂設されている。
係止片３２は、その下端は平坦な係止面３３となっており、その端縁には内方に突出し、ケース本体Ａのフック１３に係合するフック３４が設けられている。
【００１６】
次に、係止機構Ｃの作用について図５を参照して説明する。
蓋体Ｂを廻動押圧すると、蓋体Ｂのフック３４が、ケース本体Ａのフック１３に係合し、閉蓋される。
その際、操作部材２０は、その押え板２１が外方の後退位置に位置し、押え板２１周面は、周壁２周面と一致した状態になる。
【００１７】
蓋体Ｂを開くときには、押え板２１を指先で押すと、作動片２７が案内１４の傾斜面１５に沿って上昇し、蓋体Ｂの係止片３２の係止面３３に係合し、係止片３２を押し上げ、フック３４がフック１３を乗り越えるようにして係合が外れ、蓋体Ｂを開く。
その際、可撓リング２６が上下方向に広がり、両端部が引っ張られ、変形するとともに復元力が発生する。
【００１８】
押え板２１から指先をはなすと、可撓リング２６が復元しょうとし、その復元力によって作動片２７を傾斜面１５に押しつけ、作動片２７を後退させるように作用する。
復元力は、継続的に作用するので、作動片、操作部材をスムーズに後退させることになる。
【００１９】
操作部材２０は、突起３０が案内溝１８外端に衝接する位置まで後退し、元の後退位置に戻され、蓋体Ｂの開状態が維持される。
その際、後退位置においても、可撓リング２６の弾力によって、作動片２７と取付台２５との間で案内１４を挟持することになるので、操作部材２０は妄動することはない。
次いで、蓋体Ｂを閉じると、フック１３がフック３４を乗り越えて押し込まれ、閉蓋状態が維持されることになる。
【００２０】
上記実施形態では、コンパクトを角形のコンパクトとしているが、コンパクトの形状については角形に限定されず、円形、楕円形のコンパクト、或いは化粧料収納部とパフ収納部とを並べて配置したコンパクトであってもよいことはいうまでもない。
【００２１】
【発明の効果】
本発明は、上記のように構成されているから、次の効果を奏する。
操作部材の底板上面に、上部中央にケース本体の係止壁面に設けた案内の傾斜面に係合する可撓リングを連設したことにより操作部材の押圧操作をスムーズに行うことができ、後退位置において妄動を防ぐことができる。
また、従来のようなばね機構を設ける必要がないので、ケース本体にばね機構の収納部を設ける必要がなく、コンパクトの構造が簡単になり、操作部材の組込みも簡単に行えるようになった。
【図面の簡単な説明】
【図１】本発明コンパクトの斜視図である。
【図２】コンパクトの一部断面正面図である。
【図３】ケース本体の係止部材を説明する図で、（ａ）は平面図、（ｂ）は断面正面図、（ｃ）は左側面図である。
【図４】操作部材を示す図で、（ａ）は平面図、（ｂ）は断面正面図、（ｃ）は右側面図である。
【図５】係止機構の作用を説明する図で、（ａ）は閉蓋時、（ｂ）は開蓋時の係止機構の状態図である。
【符号の説明】
Ａ          ケース本体
Ｂ          蓋体
Ｃ          係止機構
１          底板
２          周壁
３、４      切欠部
１０        切欠端面
１１        係止壁面
１２        底面
１３、３４  フック
１４        案内
１５        傾斜面
１７        案内孔
１８        案内溝
２０        操作部材
２１        押え板
２２        側板
２３        底板
２４        作動部材
２５        取付台
２６        可撓リング
２７        作動片
２８        挿入部
２９        側部
３０        突起
３１        取付片
３２        係止片
３３        係止面
【図１】
0004808344.tif 000002
【図２】
0004808344.tif 000003
【図３】
0004808344.tif 000004
【図４】
0004808344.tif 000005
【図５】
0004808344.tif 000006